(57)【要約】【課題】玩具の進行方向を理解できない幼児であっても容易に遊ぶことができるようにするために、手押し移動によって任意の方向に駆動させることが可能な全方向駆動玩具を提供する。【解決手段】カバー体１１と、前記カバー体１１の内側に水平方向に回動自在に配置される駆動体２０と、を備えた。前記カバー体１１の下面１１ｂには、前記駆動体２０の下面２０ａを囲むように複数の支持駒１５を設けた。前記駆動体２０の下面２０ａには、前記回動の中心軸に対して偏心した位置に車輪２２を設けた。【選択図】図２
2013031516.tif 000002
【特許請求の範囲】
【請求項１】
手押し移動によって任意の方向に駆動させることが可能な全方向駆動玩具であって、
カバー体と、
前記カバー体の内側に水平方向に回動自在に配置される駆動体と、
を備え、
前記カバー体の下面には、前記駆動体の下面を囲むように複数の支持駒が設けられ、
前記駆動体の下面には、前記回動の中心軸に対して偏心した位置に車輪が設けられていることを特徴とする、全方向駆動玩具。
【請求項２】
前記駆動体には、前後を表示する識別情報が外部から視認可能に設けられていることを特徴とする、請求項１記載の全方向駆動玩具。
【請求項３】
前記カバー体は、全周に渡って透明な部材で形成された窓部を備えており、
前記駆動体の前記識別情報は、前記窓部を介して外部から視認可能であることを特徴とする、請求項２記載の全方向駆動玩具。
【発明の詳細な説明】
【技術分野】
【０００１】
この発明は、手押し移動によって駆動させることが可能な玩具に関するものである。
【背景技術】
【０００２】
従来、手押し移動によって駆動させることが可能な玩具が知られている。こうした玩具は、幼児であっても容易に取り扱うことができるため、幼児用の玩具として多く実用に供されている。
【０００３】
例えば、特許文献１には、車体に後方車軸、前方車軸およびオルゴールを設け、後方車軸とオルゴールの回転軸とを連動させたオルゴール付き走行玩具が開示されている。
【先行技術文献】
【特許文献】
【０００４】
【特許文献１】特開平６−２８５２６６号公報
【発明の概要】
【発明が解決しようとする課題】
【０００５】
しかし、上記した従来の玩具では、車軸と垂直な方向に手押しした場合にしか駆動しないため、玩具の進行方向を理解できない年少の幼児がうまく遊ぶことができないという問題があった。
【０００６】
そこで、本発明は、玩具の進行方向を理解できない幼児であっても容易に遊ぶことができるようにするために、手押し移動によって任意の方向に駆動させることが可能な全方向駆動玩具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の全方向駆動玩具は、手押し移動によって任意の方向に駆動させることが可能な全方向駆動玩具であって、カバー体と、前記カバー体の内側に水平方向に回動自在に配置される駆動体と、を備え、前記カバー体の下面には、前記駆動体の下面を囲むように複数の支持駒が設けられ、前記駆動体の下面には、前記回動の中心軸に対して偏心した位置に車輪が設けられていることを特徴とする。
【００１０】
（請求項２）
請求項２に記載の発明は、上記した請求項１記載の発明の特徴点に加え、以下の点を特徴とする。
【００１１】
すなわち、前記駆動体には、前後を表示する識別情報が外部から視認可能に設けられていることを特徴とする。
【００１２】
（請求項３）
請求項３に記載の発明は、上記した請求項２記載の発明の特徴点に加え、以下の点を特徴とする。
【００１３】
すなわち、前記カバー体は、全周に渡って透明な部材で形成された窓部を備えており、前記駆動体の前記識別情報は、前記窓部を介して外部から視認可能であることを特徴とする。
【発明の効果】
【００１４】
請求項１に記載の発明は上記の通りであり、カバー体と、前記カバー体の内側に水平方向に回動自在に配置される駆動体と、を備え、前記カバー体の下面には、前記駆動体の下面を囲むように複数の支持駒が設けられ、前記駆動体の下面には、前記回動の中心軸に対して偏心した位置に車輪が設けられている。このため、カバー体を持って手押し移動したときに、どの方向に移動させたとしても、車輪が進行方向に向けられるまでカバー体の内側で駆動体が回動する。すなわち、手押し移動によって任意の方向に駆動させることが可能であるので、玩具の進行方向を理解できない幼児であっても容易に遊ぶことができる。
【００１５】
また、請求項２に記載の発明は上記の通りであり、前記駆動体には、前後を表示する識別情報が外部から視認可能に設けられている。このため、カバー体を持って手押し移動し、これにより駆動体が回動したときに、外部から視認可能な識別情報が一緒に回動するので、進行方向に合わせて識別情報が示す前後が自動的に変化する。例えば、識別情報として運転手の人形などを設ければ、運転手が常に進行方向を向いているように形成することができる。
【００１６】
また、請求項３に記載の発明は上記の通りであり、前記カバー体は、全周に渡って透明な部材で形成された窓部を備えており、前記駆動体の前記識別情報は、前記窓部を介して外部から視認可能である。このため、駆動体を外部に露出させなくても駆動体の識別情報を視認可能にすることができる。駆動体を外部に露出させた場合、遊んでいる人が誤って駆動体を持って操作した場合には駆動体が回動できないので玩具を駆動できないが、駆動体を外部に露出させないようにすれば、このような問題が発生しない。
【図面の簡単な説明】
【００１７】
【図１】全方向駆動玩具１０を斜め上から見た外観図である。
【図２】全方向駆動玩具１０を斜め下から見た外観図である。
【図３】全方向駆動玩具１０の分解斜視図である。
【図４】全方向駆動玩具１０の（ａ）平面図、（ｂ）正面図、（ｃ）底面図、（ｄ）側面図である。
【図５】全方向駆動玩具１０のＡ−Ａ断面図である。
【図６】全方向駆動玩具１０のＡ−Ａ断面を一部拡大した図である。
【図７】全方向駆動玩具１０のＢ−Ｂ断面斜視図である。
【図８】全方向駆動玩具１０の作動を示す説明図である。
【発明を実施するための形態】
【００１８】
本発明の実施形態について、図を参照しながら説明する。
【００１９】
本実施形態に係る全方向駆動玩具１０は、手押し移動によって任意の方向に駆動させることが可能に形成されたものであり、図１及び図２に示すように、カバー体１１と、前記カバー体１１の内側に水平方向に回動自在に配置される駆動体２０と、を備えている。
【００２０】
カバー体１１は、駆動体２０を回動自在に支持するものであり、図３等に示すように、全方向駆動玩具１０の底部に配置される下カバー１４と、前記下カバー１４の上部にカバー用ネジ１６によって固定される上カバー１３と、前記上カバー１３の上部に固定される透明ドーム１２と、を備えている。
【００２１】
透明ドーム１２は、図３に示すように、透明な樹脂で形成された中空略半球状の部材である。この透明ドーム１２は、開口縁が下になるように上カバー１３の上部に固定される。この透明ドーム１２が上カバー１３の上部に固定されることで、図１に示すように、後述する人形２４を外部から視認可能とするための窓部１１ａが全周に渡って形成されるようになっている。なお、本実施形態においては、透明ドーム１２は、開口縁に設けられた複数の差込突起１２ａが上カバー１３上面の差し込み孔（図示せず）に圧入されることで上カバー１３に固定されているが、透明ドーム１２と上カバー１３との固定方法はこれに限らず、例えば、差込突起１２ａ以外の部位を圧入したり、接触面を接着剤で接着したりしてもよい。
【００２２】
上カバー１３は、下カバー１４とともに駆動体２０の下部を覆うものであり、図１に示すように、上面中央に駆動体２０を回動可能に受けるための軸受部１３ａが設けられている。
【００２３】
下カバー１４は、カバー体１１の下面１１ｂを形成する部材である。図２に示すように、この下カバー１４の下面（すなわちカバー体１１の下面１１ｂ）には駆動体２０の下面２０ａを露出させるように中央開口１４ｃが設けられており、この中央開口１４ｃを囲むように複数（本実施形態においては３つ）の支持筒部１４ａが下方に突出形成されている。
【００２４】
図２に示すように、この支持筒部１４ａは周方向に等間隔に設けられており、それぞれの支持筒部１４ａの内部には球体の支持駒１５が収容され、下端の開口１４ｂから球面が露出するようになっている。なお、支持筒部１４ａの下端の開口１４ｂはやや縮径して設けられており、この縮径部で支持駒１５を回転可能に支持している。この支持駒１５は、後述する車輪２２とともに接地するように形成されており、これによって全方向駆動玩具１０が倒れないように支持するとともに、全方向駆動玩具１０が接地面を移動する際には回転して、全方向駆動玩具１０がスムーズに動くようにしている。
【００２５】
一方、駆動体２０は、図３に示すように、車輪２２を回転可能に支持する駆動ボックス２１と、前記駆動ボックス２１の上部に固定されるジョイント２５と、前記ジョイント２５の上部に固定される人形２４と、を備えており、これらが一体的にカバー体１１の内部で水平方向に回動自在に配置されている。
【００２６】
駆動ボックス２１は、図３に示すように、略円筒状であり、その大部分が上カバー１３と下カバー１４とで形成される空間内に収容されるものである。この駆動ボックス２１の上部には突軸部２１ａが突出形成されている。この突軸部２１ａは、図５〜７に示すように、上カバー１３の軸受部１３ａの中央に設けられた軸孔１３ｂを貫通するように配置され、駆動体２０の回動軸となるものである。また、この突軸部２１ａには、フランジ２１ｄが設けられており、上カバー１３の軸受部１３ａを下から支持するように形成されている。
【００２７】
また、この駆動ボックス２１の下面からは、駆動ボックス２１の内部に設けられた車輪軸２３（図７参照）によって回転可能に支持された車輪２２が露出している。なお、この車輪２２ははずみ車で形成されており、所定の方向に回転させた時に回転力を保存し、慣性による回転が持続するように形成されている。この車輪２２は、図４（ｃ）に示すように、突軸部２１ａ（回動の中心軸）に対して偏心した位置に設けられている。すなわち、車輪２２の車輪軸２３は、突軸部２１ａと垂直に配置され、かつ、鉛直方向に投影したときに突軸部２１ａの中心を通らないように設けられている。
【００２８】
ジョイント２５は、駆動ボックス２１の突軸部２１ａの上端にジョイント用ネジ２６によって取り付けられる部材であり、詳しくは、図６に示すように、ジョイント２５の貫通孔２５ｂに突軸部２１ａを貫通させ、この突軸部２１ａのネジ孔２１ｃにジョイント用ネジ２６を差し込むことで、ジョイント用ネジ２６がジョイント２５の抜け止めとして機能するように構成されている。ジョイント２５は、このように突軸部２１ａの上端に取り付けられることで、突軸部２１ａのフランジ２１ｄとともに上カバー１３の軸受部１３ａを上下から挟むように支持するものである。このとき、図６に示すように、ジョイント２５とフランジ２１ｄとの間には、軸受部１３ａの厚みよりも大きな間隙が設けられており、この間隙により駆動体２０が水平方向に回動できるように余裕が持たせてある。
【００２９】
人形２４は、ジョイント２５の上部に嵌合固定されるものであり、詳しくは、図６の示すように、下方に開口した嵌合孔２４ａに対してジョイント２５を差し込むことで、ジョイント２５の上部に固定される部材である。この人形２４は、図４等に示すように、顔の向きによって前後が分かるように形成されている。この人形２４は、上カバー１３の上部すなわち透明ドーム１２の内側に配置されており、窓部１１ａを介して顔の向きが外部から視認可能となっている。
【００３０】
なお、図３に示すように、突軸部２１ａの上端には切欠き２１ｂが設けられており、この切欠き２１ｂがジョイント２５に係合することで、突軸部２１ａとジョイント２５との回転方向の位置決めがされている。また、ジョイント２５の上端には切欠き２５ａが設けられており、この切欠き２５ａが人形２４に係合することで、ジョイント２５と人形２４との回転方向の位置決めがされている。この相互の位置決めにより、人形２４の向きと車輪２２の向きとが所定の関係となるように形成されている。具体的には、図４等に示すように、人形２４の前後方向と車輪２２の前後方向とが一致するように各部材が組み合わされる。また、このとき車輪２２は、駆動体２０の回動の中心軸に対して偏心した位置に設けられているため、水平方向に見て人形２４の後方向に変位して配置されている。
【００３１】
上記のように形成された全方向駆動玩具１０は、以下のように作動する。
【００３２】
図８に示すように、全方向駆動玩具１０が手押しされることによって任意の方向に移動すると、その移動方向に対して車輪２２の摩擦抵抗が最も小さくなる位置まで駆動体２０が回動する。詳しくは、車輪２２が進行方向に対して平行となるように（言い換えると、車輪軸２３が進行方向に対して直交するように）駆動体２０が回動する。なお、車輪２２は回動の中心軸に対して偏心した位置に設けられているため、車輪２２が進行方向に対して平行となる位置は（１）車輪２２が進行方向にみて前方にある位置と（２）車輪２２が進行方向にみて後方にある位置との２つが考えられるが、車輪２２と接地面との間に摩擦抵抗が加わるため、車輪２２が進行方向にみて後方に位置するように駆動体２０が回動する。このように駆動体２０が回動することで、人形２４が進行方向前方を向く。このように、全方向駆動玩具１０をどのような方向に駆動させたとしても、駆動体２０が回動してすべての方向に駆動させることができるとともに、常に人形２４が進行方向前方を向くようにすることができる。そして、このように手押しによって駆動させた全方向駆動玩具１０から手を離すと、車輪２２がはずみ車の作用によって回転し続けるため、全方向駆動玩具１０はある程度の距離を継続して移動し続ける。
【００３３】
以上説明したように、本実施形態によれば、カバー体１１と、前記カバー体１１の内側に水平方向に回動自在に配置される駆動体２０と、を備え、前記カバー体１１の下面１１ｂには、前記駆動体２０の下面２０ａを囲むように複数の支持駒１５が設けられ、前記駆動体２０の下面２０ａには、前記回動の中心軸に対して偏心した位置に車輪２２が設けられている。このため、カバー体１１を持って手押し移動したときに、どの方向に移動させたとしても、車輪２２が進行方向に向けられるまでカバー体１１の内側で駆動体２０が回動する。すなわち、手押し移動によって任意の方向に駆動させることが可能であるので、玩具の進行方向を理解できない幼児であっても容易に遊ぶことができる。
【００３４】
また、前記駆動体２０には、前後を表示する識別情報（人形２４の顔）が外部から視認可能に設けられている。このため、カバー体１１を持って手押し移動し、これにより駆動体２０が回動したときに、外部から視認可能な識別情報が一緒に回動するので、進行方向に合わせて識別情報が示す前後が自動的に変化する。このため、人形２４が常に進行方向を向いているように形成されている。
【００３５】
また、前記カバー体１１は、全周に渡って透明な部材で形成された窓部１１ｂを備えており、前記駆動体２０の前記識別情報は、前記窓部１１ｂを介して外部から視認可能である。このため、駆動体２０を外部に露出させなくても駆動体２０の識別情報を視認可能にすることができる。駆動体２０を外部に露出させた場合、遊んでいる人が誤って駆動体２０を持って操作した場合には駆動体２０が回動できないので玩具を駆動できないが、駆動体２０を外部に露出させていないので、このような問題が発生しない。
【符号の説明】
【００３６】
１０  全方向駆動玩具
１１  カバー体
１１ａ  窓部
１１ｂ  下面
１２  透明ドーム
１２ａ  差込突起
１３  上カバー
１３ａ  軸受部
１３ｂ  軸孔
１４  下カバー
１４ａ  支持筒部
１４ｂ  開口
１４ｃ  中央開口
１５  支持駒
１６  カバー用ネジ
２０  駆動体
２０ａ  下面
２１  駆動ボックス
２１ａ  突軸部
２１ｂ  切欠き
２１ｃ  ネジ孔
２１ｄ  フランジ
２２  車輪
２３  車輪軸
２４  人形
２４ａ  嵌合孔
２５  ジョイント
２５ａ  切欠き
２５ｂ  貫通孔
２６  ジョイント用ネジ
【図１】
2013031516.tif 000003
【図２】
2013031516.tif 000004
【図３】
2013031516.tif 000005
【図４】
2013031516.tif 000006
【図５】
2013031516.tif 000007
【図６】
2013031516.tif 000008
【図７】
2013031516.tif 000009
【図８】
2013031516.tif 000010